(57)【要約】【課題】  釣竿収納袋を提供する。【解決手段】  釣竿収納袋Ａの袋本体２は、一端に釣り竿１の取入れ用開口２Ａを形成するとともに、その開口２Ａを通して内部の竿収納空間に釣り竿１を取り入れ可能に構成してある。竿本体２における開口２Ａを形成した一端とは軸線方向反対側においては閉塞端に形成し、軸線方向の中間位置の周面に、竿収納空間に通じる貫通孔２Ｃと、その貫通孔２Ｃの軸線を挟んで反対側の面に第１滑り止め部２Ｄを設けている。【選択図】        図１
2008017866.tif 000002
【特許請求の範囲】
【請求項１】
袋本体における軸線方向の一端に釣り竿取入れ用の開口を形成するとともに、前記袋本体の軸線方向における中間位置の周面に、釣り竿収納空間に通じる貫通孔と第１滑り止め部とを併設して形成してある釣竿収納袋。
【請求項２】
前記袋本体における前記開口を形成した一端とは軸線方向の反対側に位置する他端に第２滑り止め部を形成してある釣竿収納袋。
【発明の詳細な説明】
【技術分野】
【０００１】
本発明は、釣竿収納袋に関する。
【背景技術】
【０００２】
釣竿収納袋の使用形態としては、釣竿収納袋内に竿を収納し、釣り場を移る場合や釣り場への往復時に携行するものである。その為に、釣竿収納袋の外面には、吊り下げ用の提げベルトが設けられているだけであり、その他の機構を設けるとしても、収納竿を保持する為の保持部を設けたり、釣り針等の小物を入れる収納部が設けられていることがあるだけである（特許文献１参照）。
【０００３】
【特許文献１】特開平１１−２７６０４７号公報（段落番号〔００１３〕、〔００１４〕，及び、図１，２）
【発明の開示】
【発明が解決しようとする課題】
【０００４】
ところで、釣りの手法として“団子釣り”と呼ばれる方法がある。これは、筏において、チヌ（黒鯛）等を釣る場合に用いられる手法であり、次ぎのようなものである。
【０００５】
つまり、釣り針にシラサエビ等の差し餌を取り付け、差し餌の周りを団子で包み、その団子で包んだ状態の餌を投入する。団子が着底した場合や下降途中において割れると中の差し餌が飛び出して魚を誘う釣り方法である。
ここで、団子を作るには、大型の容器内に大量の土とともに市販の餌や好みの虫餌等の材料を投入し、海水等を加えて、時間を掛けて手指を駆使して練り上げることによって行うものである。団子の出来不出来によって釣果に差が出ることもあり、団子作りは釣りを始める前の重要な作業である。
団子は、仕掛けを投入する前毎に、釣り人が適当な大きさに握って形成されるものであり、釣り人は、握って固めた団子で刺し餌を包み込むように仕掛けに取り付けて、その仕掛けを海中内に沈めるものである。
したがって、釣り人は団子を握ってその団子を仕掛けに取り付け、団子の残渣が付いた手で竿を握って仕掛けを海中に投入する作業を繰り返すこととなるので、リールや釣り竿には団子の残滓が付着し、釣り竿やリールのハンドルを確りと握れないこともあり、釣り操作が不自由なものとなっている。
以上のように、練り餌を扱った手で釣り竿を握ることは、筏釣り以外にも種々の釣り方法があり、その場合にも同様の問題があった。
一方、上記したような釣り竿が残餌によって汚されるといった点を考慮する必要のない一般の釣りであっても、極寒の地において釣り操作を行う場合には、手指が冷えすぎて十分に釣り竿の操作が行えないといった別個の問題がある。
【０００６】
本発明の目的は、上記した従来見られた不都合を解消する為に、有効な活用を図ることのできる釣竿収納袋を提供する点にある。
【課題を解決するための手段】
【０００７】
〔構成〕
請求項１に係る発明の特徴構成は、袋本体における軸線方向の一端に釣り竿取入れ用の開口を形成するとともに、前記袋本体の軸線方向における中間位置の周面に、釣り竿収納空間に通じる貫通孔と第１滑り止め部とを併設して形成してある点にあり、その作用効果は次の通りである。
【０００８】
〔作用〕
つまり、袋本体の軸線方向における中間位置の周面に、釣り竿収納空間に通じる貫通孔を形成した。これによって、釣り竿を釣竿収納袋内に収納した場合であっても、リールをこの貫通孔を通して釣竿収納袋内に位置するリールシートに取り付けることができ、釣り竿を釣竿収納袋内に収納した状態で釣操作を行うことができる。
そして、貫通孔に併設して袋本体の軸線方向における中間位置の周面に第１滑り止め部を設けてあるので、前記したように、団子釣りを行っている場合であっても、第１滑り止め部に手を当てて、釣竿収納袋の上からリールを握って釣操作を行うことができる。
【０００９】
〔効果〕
このように、釣竿収納袋に第１滑り止め部を設けるだけの簡単な改造を施すことによって、釣竿収納袋を、釣り操作に利用することができ、釣り竿等を持つ手が滑ることがなく、釣り操作を容易に行えるようになり、釣り竿やリールへの団子の残渣が付着することを阻止できる。
【００１０】
請求項２に係る発明の特徴構成は、前記袋本体における前記開口を形成した一端とは軸線方向の反対側に位置する他端に第２滑り止め部を形成してある点にあり、その作用効果は次の通りである。
【００１１】
〔作用効果〕
釣竿収納袋内に釣り竿を収納した状態で、一方の手を第１滑り止め部に当てがい、他方の手を第２滑り止め部に当てがって、両方の手で仕掛けを投げ出していく際に、第２滑り止め部が利用される。
【発明を実施するための最良の形態】
【００１２】
〔第１実施形態〕
釣竿収納袋Ａについて説明する。図１に示すように、袋本体２は、一端に釣り竿１の取入れ用開口２Ａを形成するとともに、その開口２Ａを通して内部の竿収納空間に釣り竿１を取り入れ可能に構成し、その開口２Ａに対して蓋体２Ｂを設け、開口２Ａを形成した一端とは軸線方向反対側においては閉塞端に形成し、軸線方向の中間位置の周面に、竿収納空間に通じる貫通孔２Ｃと、その貫通孔２Ｃの軸線を挟んで反対側の面に第１滑り止め部２Ｄを設け、前記した閉塞端の周面に第２滑り止め部２Ｅを設けている。
【００１３】
図１に示すように、開口２Ａには蓋体２Ｂが設けてあるが、蓋体２Ｂはスライダファスナによって開放閉塞自在に構成してある。
釣竿収納袋Ａの袋本体２は、ポリウレタン樹脂の外面側にナイロン樹脂を積層したものであり、ナイロン樹脂の外面に撥水性、耐候性の高いコーティング材を施してある。
【００１４】
第１滑り止め部２Ｄ、第２滑り止め部２Ｅの構成について説明する。滑り止め部２Ｄ、２Ｅを形成する材料としては、袋本体２の外面に比べて摩擦係数の高い、皮、ゴム、ハイカコルク（ゴムとコルクの混合品）等が使用され、図１に示すように、第１滑り止め部２Ｄとしては、貫通孔２Ｃの軸線を挟んで反対側の面を覆う状態で設けてあり、第２滑り止め部２Ｅとしては、全周に亘る状態で設けてある。
【００１５】
釣竿収納袋Ａに収納される釣り竿１について説明する。図１に示すように、釣り竿１は一般的な磯竿と呼ばれているもので、穂先竿１Ａとリールシート１ａを備えた元竿１Ｂとを振出式に連結した磯竿に構成してある。
このような磯竿を使用して行う釣りにおいて、所謂“団子釣り”という方法が採用されており、この方法については、従来技術の項で説明した。
【００１６】
釣り人は団子を握ってその団子を仕掛けに取り付け、竿を握って仕掛けを海中に投入する作業を繰り返すこととなるので、リールＲや釣り竿１には団子の残滓が付着し、釣り竿１やリールＲのハンドルを確りと握れないこともあり、釣り操作が不自由なものとなっている。
【００１７】
このような状況に立ち入った場合に、次ぎのような方法を採ることができる。図２に示すように、リールシート１ａにリールＲを取り付けない状態で元竿１Ｂを尻栓側から釣竿収納袋Ａ内に収納する。元竿１Ｂを釣竿収納袋Ａ内に収納するとリールシート１ａの位置が、釣竿収納袋２に形成した貫通孔２Ｃの位置に一致することとなる。そこで、貫通孔２Ｃを通してリールＲを取り付け固定する。
【００１８】
釣り人は、リールＲを取りつけた状態で、図３に示すように、第１滑り止め部２Ｄに掌を当て付けて釣竿収納袋２の上からリールＲの脚部に指を回して握り込み竿を駆使することによって、釣り操作を行うことができる。この場合に、釣竿収納袋２の上からリールＲを握り込むと、釣竿収納袋２の第１滑り止め部２Ｄが掌に接触するので、滑り難く釣り操作が行い易くなる。
また、釣り竿１を釣竿収納袋２内に収納する状態で釣操作を行うことができるので、釣り竿１に団子の残渣等が直接付着することを抑えることができる。
【００１９】
〔第２実施形態〕
ここでは、第１実施形態で示した釣竿収納袋２の構成としては、少なくとも貫通孔２Ｃを設けるものであればよい。このような釣竿収納袋２を釣り操作に利用する場合には、図４に示すように、リールシート１ａを有していない釣り竿１を釣竿収納袋２内に収納し、貫通孔２Ｃより手をいれて元竿１Ｂ部分を握って、釣竿収納袋とともに釣り竿１を操作する。これによって、極寒の地で釣を行う場合にも、手指が冷えすぎることを抑制して、十分な釣り操作を行うことができる。
【００２０】
〔別実施形態〕
（１）  貫通孔２Ｃに蓋体を設けてもよい。
（２）  第１滑り止め部２Ｄとしては、貫通孔２Ｃを含む全周に亘って設けてもよい。
【図面の簡単な説明】
【００２１】
【図１】釣竿収納袋を示し、釣り竿の元竿を釣竿収納袋内に収納する前の状態を示す側面図
【図２】元竿を釣竿収納袋内に収納した状態を示し、リールを装着する前の状態を示す側面図
【図３】釣竿収納袋と釣り竿とを握り込んで、釣り操作を行う状態を示す側面図
【図４】貫通孔より手を差し込んで釣り竿を握って操作する状態を示す縦断側面図
【符号の説明】
【００２２】
２            袋本体
２Ａ          取り入れ用開口
２Ｃ          貫通孔
２Ｄ          第１滑り止め部
２Ｅ          第２滑り止め部
【図１】
2008017866.tif 000003
【図２】
2008017866.tif 000004
【図３】
2008017866.tif 000005
【図４】
2008017866.tif 000006